(57)【要約】【課題】輝度むらを低減することができる有機ＥＬ照明パネル及び有機ＥＬ照明装置を提供する。【解決手段】少なくとも一方が透光性の一対の第１電極層１２と第２電極層１４とによって少なくとも発光層を含む有機発光層１３を挟んで成る照明用有機ＥＬパネル２Ａであって、第１電極層１２と第２電極層１４とは、それぞれ複数の電極１２１，１４１を備えた。そして、第１電極層１２における複数の電極１２１と第２電極層１４における複数の電極１４１との間に電力を供給することにより、有機発光層１３を発光させる直流電源４０を備えた。【選択図】図１
2007173525.tif 000002
【特許請求の範囲】
【請求項１】
少なくとも一方が透光性の一対の第１及び第２電極層によって少なくとも発光層を含む有機発光層を挟んで成る有機ＥＬ照明パネルであって、
前記第１及び第２電極層は、それぞれ複数の電極を備えること
を特徴とする有機ＥＬ照明パネル。
【請求項２】
前記第１電極層における複数の電極は、ＩＴＯで形成され、
前記第２電極層における複数の電極は、金属で形成されていること
を特徴とする請求項１記載の有機ＥＬ照明パネル。
【請求項３】
前記第１電極層における複数の電極と前記第２電極層における複数の電極とは、それぞれ互に１対１で対向するように配置されていること
を特徴とする請求項１又は２記載の有機ＥＬ照明パネル。
【請求項４】
前記第１電極層における前記複数の電極のうち少なくとも一つの電極は、前記第２電極層における２以上の電極と対向配置されていること
を特徴とする請求項１又は２記載の有機ＥＬ照明パネル。
【請求項５】
前記第２電極層における前記複数の電極のうち少なくとも一つの電極は、前記第１電極層における２以上の電極と対向配置されていること
を特徴とする請求項１又は２記載の有機ＥＬ照明パネル。
【請求項６】
請求項１〜５のいずれかに記載の有機ＥＬ照明パネルと、
前記第１電極層における複数の電極と前記第２電極層における複数の電極との間に電力を供給することにより、前記発光層を発光させる電源部とを備えること
を特徴とする有機ＥＬ照明装置。
【請求項７】
前記第１電極層における複数の電極と前記第２電極層における複数の電極との間へそれぞれ前記電力を供給する複数の電力供給ラインのうち少なくとも一つに介挿され、前記電源からの電力をオンオフするスイッチ部をさらに備えること
を特徴とする請求項６記載の有機ＥＬ照明装置。
【請求項８】
前記スイッチ部のオンオフを制御する調光制御部をさらに備えること
を特徴とする請求項７記載の有機ＥＬ照明装置。
【発明の詳細な説明】
【技術分野】
【０００１】
本発明は、有機ＥＬ（electro luminescence）を利用した有機ＥＬ照明パネルに関し、特に、輝度むらを低減することができる有機ＥＬ照明パネルに関する。そして、この有機ＥＬ照明パネルを用いた有機ＥＬ照明装置に関する。
【背景技術】
【０００２】
有機ＥＬ素子は、自己発光のために液晶素子に較べて明るく、鮮明な表示が可能であることから、比較的古くから研究開発がされてきた。特に、１９８７年にコダック社のＣ．Ｗ．Ｔａｎｇらが積層構造の有機ＥＬ素子を提案して以来、この素子が消費電力、輝度、応答性及び視野角の諸点で優れていることから注目を浴び、有機ＥＬディスプレイに関する研究開発が活発化している。
【０００３】
図５は、特許文献１に記載の有機ＥＬディスプレイの構造を示す斜視図である。図５において、典型的な有機ＥＬディスプレイ５００は、例えば特許文献１に開示されているように、ガラス基板５０１と、ガラス基板５０１上に形成された短冊状の陽極群５０２と、陽極群５０２のほぼ全面に形成された正孔輸送性の有機層５０３及び電子輸送性と発光機能とを有する有機層５０４と、有機層５０４上に前記陽極群５０２と直交する方向に形成された短冊状の陰極群５０５とを備えて構成される。陽極群５０２は、例えばＩＴＯ等の導電性透明薄膜から成り、陰極群５０５は、例えば銀マグネシウム合金（ＡｇＭｇ）等の金属薄膜から成っている。
【０００４】
このような構造の有機ＥＬディスプレイ５００では、それぞれ直交する電極群（陽極群５０２及び陰極群５０５）のうちの一方を走査電極として、各走査電極には、時間的に分割された走査信号が順次に供給されると共に、他方を信号電極として、各信号電極には、走査電極と交差する画素を表示すべきか否かに対応する選択信号がそれぞれ供給され、表示すべき画素が発光する。
【０００５】
ここで、例えばＩＴＯ等の導電性透明薄膜は、比較的高い抵抗を有するので、電極端子から遠い表示画素では大きな輝度低下が発生してしまうという不都合がある。
【特許文献１】特開２０００−１２３９８０号公報
【発明の開示】
【発明が解決しようとする課題】
【０００６】
ところで、短冊状の陰極群５０５を面状の陰極電極層に代えて有機ＥＬ照明装置を構成した場合でも、有機ＥＬディスプレイ５００と同様の不都合が生じる。即ち、電極端子から遠い発光面では大きな輝度低下が発生し、輝度むらが発生してしまうという不都合である。
【０００７】
本発明は、上記事情に鑑みて為された発明であり、輝度むらを低減することができる有機ＥＬ照明パネル及び有機ＥＬ照明装置を提供することを目的とする。
【課題を解決するための手段】
【０００８】
上述の目的を達成するために、本発明の第１の手段に係る有機ＥＬ照明パネルは、少なくとも一方が透光性の一対の第１及び第２電極層によって少なくとも発光層を含む有機発光層を挟んで成る有機ＥＬ照明パネルであって、前記第１及び第２電極層は、それぞれ複数の電極を備えることを特徴としている。
【０００９】
また、上述の有機ＥＬ照明パネルにおいて、前記第１電極層における複数の電極は、ＩＴＯで形成され、前記第２電極層における複数の電極は、金属で形成されていることを特徴としている。
【００１０】
また、上述の有機ＥＬ照明パネルにおいて、前記第１電極層における複数の電極と前記第２電極層における複数の電極とは、それぞれ互に１対１で対向するように配置されていることを特徴としている。
【００１１】
また、上述の有機ＥＬ照明パネルにおいて、前記第１電極層における前記複数の電極のうち少なくとも一つの電極は、前記第２電極層における２以上の電極と対向配置されていることを特徴としている。
【００１２】
また、上述の有機ＥＬ照明パネルにおいて、前記第２電極層における前記複数の電極のうち少なくとも一つの電極は、前記第１電極層における２以上の電極と対向配置されていることを特徴としている。
【００１３】
そして、本発明の第２の手段に係る有機ＥＬ照明装置は、上述のいずれかに記載の有機ＥＬ照明パネルと、前記第１電極層における複数の電極と前記第２電極層における複数の電極との間に電力を供給することにより、前記発光層を発光させる電源部とを備えることを特徴としている。
【００１４】
また、上述の有機ＥＬ照明装置において、前記第１電極層における複数の電極と前記第２電極層における複数の電極との間へそれぞれ前記電力を供給する複数の電力供給ラインのうち少なくとも一つに介挿され、前記電源からの電力をオンオフするスイッチ部をさらに備えることを特徴としている。
【００１５】
また、上述の有機ＥＬ照明装置において、前記スイッチ部のオンオフを制御する調光制御部をさらに備えることを特徴としている。
【発明の効果】
【００１６】
このような構成の有機ＥＬ照明パネル及び有機ＥＬ照明装置は、背景技術に較べて輝度むらを低減することができる。
【発明を実施するための最良の形態】
【００１７】
以下、本発明に係る実施形態を図面に基づいて説明する。なお、各図において同一の符号を付した構成は、同一の構成であることを示し、その説明を省略する。
【００１８】
（第１の実施形態）
図１は、第１の実施形態に係る有機ＥＬ照明装置の構成を示す図である。図１（Ａ）は、有機ＥＬ照明パネルの正面及び駆動部を示し、図１（Ｂ）は、図１（Ａ）のＡＡ線における有機ＥＬ照明パネルの断面を示す。図２は、実施形態に係る直流電源の構成を示す回路図である。
【００１９】
図１において、第１の実施形態に係る有機ＥＬ照明装置１Ａは、基板１１と、基板１１の一方面１１１上に積層された第１電極層１２と、第１電極層１２上に積層された有機発光層１３と、有機発光層１３上に積層された第２電極層１４と、第１及び第２封止部材１５、１６とを備える有機ＥＬ照明パネル２Ａと、複数のスイッチング素子３１と、調光制御部３０１Ａとを備える駆動部３０Ａとを備えて構成される。
【００２０】
基板１１は、少なくとも一方が透光性の一対の第１及び第２電極層１２，１４によって少なくとも発光層を含む有機発光層１３を挟んで成る有機ＥＬ層を支持するための矩形の平板状の部材であり、有機発光層１３で発光する光の波長に対して透明な材料、例えばガラス等で構成される。
【００２１】
有機発光層１３は、蛍光物質の有機材料又は蛍光物質を含む有機材料から成る発光層を少なくとも含んで構成され、必要に応じて、正孔注入層、正孔輸送層、電子輸送層及び電子注入層等を備える。より具体的には、第１及び第２電極層１２、１４も記載すると、例えば以下の層構造である。
（１）（第１電極層１２；陽極）／発光層／（第２電極層１４；陰極）
（２）（第１電極層１２；陽極）／正孔輸送層／発光層／（第２電極層１４；陰極）
（３）（第１電極層１２；陽極）／発光層／電子輸送層／（第２電極層１４；陰極）
（４）（第１電極層１２；陽極）／正孔輸送層／発光層／電子輸送層／（第２電極層１４；陰極）
（５）（第１電極層１２；陽極）／正孔注入層／正孔輸送層／発光層／電子輸送層／電子注入層／（第２電極層１４；陰極）
第１電極層１２は、有機発光層１３で発光する光の波長に対して透明な材料から成る導電性の薄膜であり、陽極となる。第１電極層１２は、有機発光層１３が可視光を発光するので、例えば、可視光を透過するＩＴＯ（Indium Tin Oxide）等で形成される。
【００２２】
第２電極層１４は、導電性の薄膜であり、陰極となる。第２電極層１４は、第１電極層１２と同様に有機発光層１３で発光する光の波長に対して透明な材料から形成してもよいが、本実施形態では、有機発光層１３で発光する光の取り出し効率を高めるために、有機発光層１３で発光する光を反射する材料から形成される。第２電極層１４は、例えばアルミニウム（Ａｌ）、アルミリチウム（Ａｌ：Ｌｉ）及びマグネシウム銀（Ｍｇ：Ａｇ）等の金属や合金等で形成される。第２電極層１４は、例えば、本実施形態では、導電率、反射率及びコスト等の観点から、例えばアルミニウムで形成される。
【００２３】
ここで、注目すべきは、第１電極層１２は複数の電極１２１から成り、第２電極層１４は複数の電極１４１から成り、複数の電極１２１と複数の電極１４１とがそれぞれ互に１対１で対向するように配置されていることである。図１に示す例では、第１電極層１２は、矩形の４個の電極１２１−１〜１２１−４から成り、第２電極層１４は、矩形の４個の電極１４１−１〜１２１−４から成る。また、図１に示す例では、第１電極層１２の電極１２１、第２電極層１４の電極１４１は、それぞれ４個であるが、その個数は、任意であり、例えば有機ＥＬ照明パネル２Ａの大きさ及び発光量等を考慮して仕様により適宜に決定される。
【００２４】
なお、本明細書において、総称する場合には添え字を省略した参照符号で示し、個別の構成を指す場合には添え字を付した参照符号で示す。
【００２５】
そして、第１電極層１２の電極１２１は、その一部が第１封止部材１５から露出するように形成され、その一部は、直流電源４０からの電力の供給を受けるための陽極給電領域１２２を構成する。図１に示す例では、電極１２１−１〜１２１−４は、一端部が第１封止部材１５から露出するように形成され、それぞれ陽極給電領域１２２−１〜１２２−４を構成している。
【００２６】
また、第２電極層１４の電極１４１には、直流電源４０からの電力の供給を受けるための陰極給電端子１４２が接続されている。図１に示す例では、電極１４１−１〜１４１−４には、それぞれ陰極給電端子１４２−１〜１４２−４が接続されている。
【００２７】
第１及び第２封止部材１５、１６は、基板１１と協同して有機発光層１３を気密に封止するための絶縁性の部材である。例えば接着性を有する樹脂製の第１封止部材１５が、陽極給電領域１２２を除く第１電極層１２、有機発光層１３、及び陰極給電端子１４２が接続された第２電極層１４を覆うように塗布され、例えばガラス製の板状部材から成る第２封止部材１６が、第１封止部材１５を介して第２電極層１４上に載せられて圧力が加えられることによって、第２封止部材１６が第１封止部材１５によって第２電極層１４に接着されると共に、第２封止部材１６の周縁部が第１封止部材１５によって基板１１に気密に接着して接合される。これによって第１及び第２封止部材１５、１６は、基板１１と協同して有機発光層１３を気密に封止する。
【００２８】
スイッチング素子３１は、第１電極層１２を構成する複数の電極１２１におけるそれぞれの電力供給ラインにそれぞれ介挿され、直流電源４０からの電力をオンオフするための素子である。図１に示す例では、複数のスイッチング素子３１が直流電源４０と各電極１２１との間にそれぞれ介挿されており、これら複数のスイッチング素子３１における一方の各端子が直流電源４０の陽極に共通に接続されると共に、これら複数のスイッチング素子３１における他方の各端子が複数の電極１２１における端部の陽極給電領域１２２に接続されている。そして、直流電源４０の陰極は、第４電極層１４を構成する複数の電極１４１におけるそれぞれの陰極給電端子１４２に接続される。
【００２９】
スイッチング素子３１は、例えば、そのオンオフを切り換えるための制御信号が入力される制御端子付きの素子であり、より具体的には、例えば、ＭＯＳトランジスタやバイポーラトランジスタである。図１に示す例では、ＭＯＳトランジスタ３１−１〜３１−４が用いられている。各ＭＯＳトランジスタ３１−１，３１−２，３１−３，３１−４の各ソース電極が直流電源４０の陽極に共通に接続されると共に、各ＭＯＳトランジスタ３１−１，３１−２，３１−３，３１−４の各ドレイン電極が各電極１２１−１，１２１−２，２１２−３，２１２−４における端部の陽極給電領域１２２−１，１２２−２，１２２−３，１２２−４にそれぞれ接続されている。
【００３０】
なお、上述では、スイッチング素子３１が第１電極層１２の電極１２１に直接的に接続されて直流電源４０からの電力が供給されるように構成されたが、直流電源４０から電力の供給を受けるための例えばバンプやパッド等の複数の給電部が複数の電極１２１における端部に設けられてもよい。給電部にスイッチング素子３１が接続されることによって、上述と同様に、直流電源４０からの電力が複数の電極１２１の端部に供給されるように構成され得る。
【００３１】
調光制御部３０１Ａは、スイッチング素子３１におけるオンオフをそれぞれ制御する回路であり、制御信号をスイッチング素子３１の制御端子に出力する。図１に示す例では、調光制御部３０１Ａは、各ＭＯＳトランジスタ３１−１〜３１−４の各ゲート電極にそれぞれ接続され、制御信号を各ＭＯＳトランジスタ３１−１〜３１−４の各ゲート電極にそれぞれ出力する。
【００３２】
なお、調光制御部３０１Ａを備えず、スイッチング素子３１の代わりに手動式の開閉スイッチを用いて、ユーザが開閉スイッチを操作することにより、複数の電極１２１への電力供給をオンオフできるようにしてもよい。
【００３３】
直流電源４０は、例えば、図２に示すように、電源スイッチＳＷと、整流器ＲＥと、コンデンサＣ１、Ｃ２と、スイッチング素子Ｑと、ダイオードＤと、コイルＬと、出力制御回路４１とを備えて構成される。整流器ＲＥは、電源スイッチＳＷを介して交流電源ＡＣに接続される。コンデンサＣ１は、整流器ＲＥの出力陽極端子と出力陰極端子との間に並列に接続され、整流器ＲＥの出力電圧を平滑する。スイッチング素子Ｑの一方端子は、整流器ＲＥの出力陽極端子に接続され、スイッチング素子Ｑの他方端子は、出力制御回路４１のモニタ入力、ダイオードＤのカソード及びコイルＬの一方端に接続される。ダイオードＤのアノードは、整流器ＲＥの出力陰極端子に接続され、コイルＬの他方端は、コンデンサＣ２を介して整流器ＲＥの出力陰極端子に接続される。スイッチング素子Ｑにおけるオンオフの制御端子は、出力制御回路４１の制御出力に接続される。このような構成の直流電源４０では、電源スイッチＳＷがオンされると、交流電源ＡＣの交流は、整流器ＲＥで直流に変換され、その電圧がコンデンサＣ１で平滑される。コンデンサＣ１で電圧が平滑された直流は、スイッチング素子Ｑ、ダイオードＤ、コイルＬ、コンデンサＣ２及び出力制御回路４１から成るＤＣ−ＤＣコンバータにより降圧され、コンデンサＣ２の両端子から所定の電圧で出力される。
【００３４】
このような構成の有機ＥＬ照明パネル２Ａは、第１電極層１２を構成する複数の電極１２１と第２電極層１４との間に直流の電力を供給することによって、有機発光層１３が発光する。この有機発光層１３で発光した光は、一対の第１及び第２電極層１２、１４によって有機発光層１３を挟んで成る有機ＥＬ層を配設している面、即ち、第１電極層１２が形成されている一方面１１１に対向する他方面１１２（発光面）から、有機ＥＬ照明パネル２Ａの出力光として射出される。
【００３５】
ここで、第１電極層１２は、比較的高い抵抗を有する例えばＩＴＯ等の導電性透明薄膜で構成されているので、陽極給電領域１２２の端部から遠くなるに従って輝度が徐々に低下する。しかしながら、本実施形態の第１電極層１２及び第２電極層１４は、それぞれ分割されて、互いに対向する複数の電極１２１及び複数の電極１４１から構成され、互いに対向する各電極１２１と電極１４１との対毎に、直流電源４０から給電されているので、第１電極層１２及び第２電極層１４がそれぞれ１つの電極で形成された場合に較べて電圧降下に起因する発光面位置の相違による電位差が小さくなり、輝度むらが低減され得る。特に、発光面の面積が比較的広い照明用では効果的に輝度むらが低減され得る。従って、このような有機ＥＬ照明パネル２Ａを用いた有機ＥＬ照明装置１Ａも輝度むらが低減され得る。
【００３６】
そして、調光する場合には、各電極１２１の給電を駆動部３０Ａによってオンオフ制御することによって、発光面における発光している部分（発光部分）における輝度むらを低減しつつ有機ＥＬ照明パネル２Ａの発光量を段階的に調整することができる。
【００３７】
例えば、図１に示す例では、有機発光層１３を間に挟んで互いに対向する電極１２１−１と電極１４１−１、電極１２１−２と電極１４１−２、電極１２１−３と電極１４１−３、及び電極１２１−４と電極１４１−４の各電極対によって、発光部が構成されているので、調光制御部３０１ＡによってオンさせるＭＯＳトランジスタ３１−１〜３１−４の数を増減させることにより、発光させる発光部の数を増減させて、有機ＥＬ照明パネル２Ａ及び有機ＥＬ照明装置１Ａを調光することができる。
【００３８】
有機ＥＬ照明パネル２Ａ及び有機ＥＬ照明装置１Ａは、このように制御されることにより、発光面における発光部分における輝度むらを低減しつつその発光量を段階的に調整することができる。
【００３９】
なお、上述の実施形態では、第１電極層１２の各電極１２１にスイッチング素子３１を設けたが、何れか１つのスイッチング素子３１を省略し、このスイッチング素子３１が省略された電極１２１が直流電源４０の電源スイッチＳＷのオンオフに連動してオンオフするように構成してもよい。このように構成することにより、有機ＥＬ照明装置１Ａは、電源スイッチＳＷに連動して点消灯する。
【００４０】
また、スイッチング素子３１を、第１電極層１２の各電極１２１に設ける例を示したが、第２電極層１４の各電極１４１に設けてもよい。
【００４１】
このような有機ＥＬ照明パネル２Ａは、例えば、次の各工程によって製造される。まず、矩形のガラス製の基板１１上における略中央部に上記形状の複数の電極１２１で構成されるＩＴＯの第１電極層１２を形成する。次に、この第１電極層１２のＩＴＯ薄膜を形成した基板１１を、アセトン、イソプロピルアルコール（共に（株）関東化学製）、セミコクリーン（フルウチ科学製）、超純水で、それぞれ超音波洗浄を行った後、イソプロピルアルコールの蒸気で洗浄し、乾燥させる。次に、大気圧プラズマ表面処理装置（松下電工（株）製）で、この第１電極層１２のＩＴＯ薄膜が形成された基板１１の表面処理を行う。
【００４２】
次に、開口部を有する有機発光層用マスクを用い、４、４’−ビス［Ｎ−（ナフチル）−Ｎ−フェニル−アミノ］ビフェニル（α−ＮＰＤ）を堆積し、Ａｌｑ３にクマリンをドープした層を蒸着する。次に、Ａｌｑ３を蒸着し、ＬｉＦを蒸着する。これによって有機発光層１３が形成される。
【００４３】
次に、開口部を有する第２電極用マスクを用いて、アルミニウムを蒸着し、上記形状の複数の電極１４１で構成されるアルミニウムの第２電極層１４を形成する。
【００４４】
次に、第２封止部材１６としてガラス板を第１封止部材１５としてのエポキシ系接着剤で基板１１に貼付することによって気密に封止する。これによって図１に示す有機ＥＬ照明パネル２Ａが製造される。
【００４５】
次に、別の実施形態について説明する。
（第２の実施形態）
図３は、第２の実施形態に係る有機ＥＬ照明装置の構成を示す図である。図３（Ａ）は、有機ＥＬ照明パネルの正面及び駆動部を示し、図３（Ｂ）は、図３（Ａ）のＣＣ線における有機ＥＬ照明パネルの断面を示す。
【００４６】
図３において、第２の実施形態に係る有機ＥＬ照明装置１Ｃは、基板１１と、基板１１の一方面１１１上に積層された第１電極層３２と、第１電極層３２上に積層された有機発光層１３と、有機発光層１３上に積層された第２電極層３４と、第１及び第２封止部材１５、１６とを備える有機ＥＬ照明パネル２Ｃと、複数のスイッチング素子３１と、調光制御部３０１Ｃとを備える駆動部３０Ｃとを備えて構成される。
【００４７】
ここで、第２の実施形態に係る有機ＥＬ照明装置１Ｃは、第１の実施形態とは、第１電極層３２及び第２電極層３４の構成が異なる。また、駆動部３０Ｃの構成が異なる。その他の点は、同様であるのでその説明を省略する。
【００４８】
第１電極層３２は、略正方形の電極３２１−１と、電極３２１−１の横幅が約２倍にされた長方形の電極３２１−２と、電極３２１−１の縦の辺が約２倍にされた長方形の電極３２１−３と、電極３２１−１の一辺が約２倍にされた略正方形の電極３２１−４とから成り、有機発光層１３で発光する光の波長に対して透明な材料から成る導電性の薄膜であり、陽極となる。第１電極層３２は、有機発光層１３が可視光を発光するので、例えば、可視光を透過するＩＴＯ等で形成される。第１電極層３２の電極３２１は、その一部が第１封止部材１５から露出するように形成され、その一部は、直流電源４０からの電力の供給を受けるための陽極給電領域３２２を構成する。図３に示す例では、第１電極層３２は、４個の電極３２１−１〜３２１−４で構成され、それらの両端部が第１封止部材１５から露出するように形成されている。そして、第１封止部材１５から露出する電極３２１−１〜３２１−４の一端部によって、４個の陽極給電領域３２２−１〜３２２−４を構成している。図３に示す例では、第１電極層３２の電極３２１は、４個であるが、その個数は、任意であり、例えば有機ＥＬ照明パネル２Ｃの大きさ及び発光量等を考慮して仕様により適宜に決定される。
【００４９】
第２電極層３４は、電極３２１−１と略同一形状の電極３４１−１と、電極３２１−３と略同一形状の電極３４１−２と、電極３２１−２と略同一形状の電極３４１−３と、電極３２１−４と略同一形状の電極３４１−４とから成る導電性の薄膜であり、陰極となる。第２電極層３４は、第２電極層１４と同様の材料により構成されており、例えばアルミニウムで形成される。第２電極層３４の電極３４１には、直流電源４０からの電力の供給を受けるための陰極給電端子３４２が接続されている。図３に示す例では、第２電極層３４は、４個の電極３４１−１〜３４１−４で構成され、電極３４１−１〜３４１−４の一端部に４個の陰極給電端子３４２−１〜３４２−４が接続されている。図３に示す例では、第２電極層３４の電極３４１は、４個であるが、その個数は、任意であり、例えば有機ＥＬ照明パネル２Ｃの大きさ及び発光量等を考慮して仕様により適宜に決定される。
【００５０】
そして、電極３２１−１は、電極３４１−４と対向配置され、電極３２１−２は、電極３４１−２，３４１−４と対向配置され、電極３２１−３は、電極３４１−３，３４１−４と対向配置され、電極３２１−４は、電極３４１−１，３４１−２，３４１−３，３４１−４と対向配置されている。
【００５１】
スイッチング素子３１は、第１電極層３２を構成する複数の電極３２１と第２電極層３４を構成する複数の電極３４１とにおけるそれぞれの電力供給ラインにそれぞれ介挿され、直流電源４０からの電力をオンオフするための素子である。図３に示す例では、複数のスイッチング素子３１−１〜３１−４が直流電源４０と電極３２１−１〜３２１−４との間にそれぞれ介挿されており、これら複数のスイッチング素子３１−１〜３１−４における一方の各端子が直流電源４０の陽極に共通に接続されると共に、これら複数のスイッチング素子３１−１〜３１−４における他方の各端子が複数の電極３２１における端部の陽極給電領域３２２に接続されている。そして、複数のスイッチング素子３１−５〜３１−８が直流電源４０と各電極３４１との間にそれぞれ介挿されており、これら複数のスイッチング素子３１−５〜３１−８における一方の各端子が直流電源４０の陰極に共通に接続されると共に、これら複数のスイッチング素子３１−５〜３１−８における他方の各端子が複数の電極３４１における端部の陰極給電端子３４２に接続されている。
【００５２】
調光制御部３０１Ｃは、スイッチング素子３１におけるオンオフをそれぞれ制御する回路であり、制御信号をスイッチング素子３１の制御端子に出力する。図３に示す例では、調光制御部３０１Ｃは、各ＭＯＳトランジスタ３１−１〜３１−８の各ゲート電極にそれぞれ接続され、制御信号を各ＭＯＳトランジスタ３１−１〜３１−８の各ゲート電極にそれぞれ出力する。
【００５３】
そして、調光制御部３０１Ｃが、電極３２１−１〜３２１−４に接続されているＭＯＳトランジスタ３１−１〜３１−４のうちいずれかと、電極３４１−１〜３４１−４に接続されているＭＯＳトランジスタ３１−５〜３１−８のうちいずれかとをオンさせると、オンされたＭＯＳトランジスタに接続されている、電極３２１と電極３４１とが対向する部分が発光する。
【００５４】
この場合、有機ＥＬ照明パネル２Ｃにおいて、電極３２１と電極３４１とが対向する部分が発光部（網掛け部分）となり、図３に示す例では、電極３２１−２と電極３４１−２
とが対向する部分を発光部Ａ、電極３２１−２と電極３４１−４とが対向する部分を発光部Ｂ、電極３２１−１と電極３４１−４とが対向する部分を発光部Ｃ、電極３２１−４と電極３４１−２とが対向する部分を発光部Ｄ、電極３２１−４と電極３４１−４とが対向する部分を発光部Ｅ、電極３２１−３と電極３４１−４とが対向する部分を発光部Ｆ、電極３２１−４と電極３４１−１とが対向する部分を発光部Ｇ、電極３２１−４と電極３４１−３とが対向する部分を発光部Ｈ、電極３２１−３と電極３４１−３とが対向する部分を発光部Ｉとしている。
【００５５】
そして、図４に示すように、調光制御部３０１Ｃが、ＭＯＳトランジスタ３１−２とＭＯＳトランジスタ３１−６とをオンさせれば発光部Ａが発光し、ＭＯＳトランジスタ３１−２とＭＯＳトランジスタ３１−８とをオンさせれば発光部Ｂが発光し、ＭＯＳトランジスタ３１−１とＭＯＳトランジスタ３１−８とをオンさせれば発光部Ｃが発光し、ＭＯＳトランジスタ３１−４とＭＯＳトランジスタ３１−６とをオンさせれば発光部Ｄが発光し、ＭＯＳトランジスタ３１−４とＭＯＳトランジスタ３１−８とをオンさせれば発光部Ｅが発光し、ＭＯＳトランジスタ３１−３とＭＯＳトランジスタ３１−８とをオンさせれば発光部Ｅが発光し、ＭＯＳトランジスタ３１−３とＭＯＳトランジスタ３１−８とをオンさせれば発光部Ｆが発光し、ＭＯＳトランジスタ３１−４とＭＯＳトランジスタ３１−５とをオンさせれば発光部Ｇが発光し、ＭＯＳトランジスタ３１−４とＭＯＳトランジスタ３１−７とをオンさせれば発光部Ｈが発光し、ＭＯＳトランジスタ３１−３とＭＯＳトランジスタ３１−７とをオンさせれば発光部Ｉが発光する。
【００５６】
この場合、例えば、図１に示す有機ＥＬ照明パネル２Ａのように、矩形の電極１２１と電極１４１とを１対１で対応させて発光部を構成した場合には、図３に示す有機ＥＬ照明装置１Ｃと同様に９つの発光部を構成し、それぞれの発光部の発光を制御するためには電極１２１、電極１４１、及びスイッチング素子３１がそれぞれ９つ必要となるが、有機ＥＬ照明装置１Ｃでは、スイッチング素子３１を８つ用いて９つの発光部の発光を制御することができるので、スイッチング素子３１の数を低減することができる。
【００５７】
ここで、第１電極層３２及び第２電極層３４は、それぞれ分割されて、互いに対向する複数の電極３２１及び複数の電極３４１から構成され、複数の電極３２１及び複数の電極３４１毎に、直流電源４０から給電されているので、第１電極層３２及び第２電極層３４がそれぞれ１つの電極で形成された場合に較べて電圧降下に起因する発光面位置の相違による電位差が小さくなり、輝度むらが低減され得る。特に、発光面の面積が比較的広い照明用では効果的に輝度むらが低減され得る。従って、このような有機ＥＬ照明パネル２Ｃを用いた有機ＥＬ照明装置１Ｃも輝度むらが低減され得る。
【００５８】
そして、調光する場合には、各電極３２１，３４１の給電を駆動部３０Ｃによってオンオフ制御することによって、発光面における発光している部分における輝度むらを低減しつつ有機ＥＬ照明パネル２Ｃの発光量を段階的に調整することができる。
【図面の簡単な説明】
【００５９】
【図１】第１の実施形態に係る有機ＥＬ照明装置の構成を示す図である。図１（Ａ）は、有機ＥＬ照明パネルの正面及び駆動部を示し、図１（Ｂ）は、図１（Ａ）のＡＡ線における有機ＥＬ照明パネルの断面を示す。
【図２】実施形態に係る直流電源の構成を示す回路図である。
【図３】図３は、第２の実施形態に係る有機ＥＬ照明装置の構成を示す図である。図３（Ａ）は、有機ＥＬ照明パネルの正面及び駆動部を示し、図３（Ｂ）は、図３（Ａ）のＣＣ線における有機ＥＬ照明パネルの断面を示す。
【図４】ＭＯＳトランジスタをオンさせる組み合わせと発光する発光部との関係を示す表形式の説明図である。
【図５】背景技術に係る有機ＥＬディスプレイの構造を示す斜視図である。
【符号の説明】
【００６０】
１Ａ，１Ｂ，１Ｃ  有機ＥＬ照明装置
２Ａ，２Ｂ，２Ｃ  有機ＥＬ照明パネル
１１  基板
１２，２２，３２  第１電極層
１４，２４，３４  第２電極層
１３  有機発光層
１５，１６  封止部材
３０Ａ，３０Ｂ，３０Ｃ  駆動部
３１  スイッチング素子
３１−１〜３１−８  ＭＯＳトランジスタ
４０  直流電源
１２１，２２１，３２１，１４１，２４１，３４１  電極
１２２，２２２，３２２  陽極給電領域
１４２，２４２，３４２  陰極給電端子
３０１Ａ，３０１Ｂ，３０１Ｃ  調光制御部
Ａ〜Ｉ  発光部
【図１】
2007173525.tif 000003
【図２】
2007173525.tif 000004
【図３】
2007173525.tif 000005
【図４】
2007173525.tif 000006
【図５】
2007173525.tif 000007